(57)【要約】【課題】証明写真やに利用する静止画像を容易に生成可能な撮像装置を提供する。【解決手段】撮像装置に設けられた表示装置上に、証明写真のサイズや縦横比に基づいて定められたエリア枠をオンスクリーン表示し、被写体が当該エリア枠に適当に収まるように撮像する証明写真モードで撮像することで、証明写真への利用に適した画像データを容易に生成することができる。また、通常の撮像モードで撮像した画像データを、表示装置上にプレビュー表示した状態で、エリア枠を操作して範囲指定することで、撮像後に行う操作で、証明写真用の画像データを生成することもできる。そして、生成した画像データの背景処理を行うことで、さらに証明写真に適した画像データに変換することも可能である。【選択図】図１
2005223523.tif 000002
【特許請求の範囲】
【請求項１】
表示装置を備える撮像装置であって、
前記表示装置上に、所定の大きさでエリア枠を表示する手段と、
前記表示装置上に表示された被写体のうち、前記エリア枠内に表示される領域のみを画像データとして記憶する手段と、
を備えることを特徴とする撮像装置。
【請求項２】
請求項１に記載の撮像装置であって、さらに、
前記表示装置上で前記エリア枠を移動させる操作を行う操作子、
を備えることを特徴とする撮像装置。
【請求項３】
請求項１または請求項２に記載の撮像装置であって、さらに、
前記表示装置上に表示された被写体の顔部分を検出する手段と、
検出した前記顔部分を含む所定領域のみを画像データとして記憶する手段、
を備えることを特徴とする撮像装置。
【請求項４】
請求項１ないし請求項３のいずれかに記載の撮像装置であって、さらに、
前記画像データを２値化する閾値処理によって人物を背景領域から分離して、前記人物を抽出する人物抽出手段、
を備えることを特徴とする撮像装置。
【請求項５】
請求項４に記載の撮像装置であって、
前記人物抽出手段は、
前記画像データを量子化して行うラベリング処理によって、人物と、背景領域にある物体と、を背景領域から分離して、前記人物を抽出する手段、
を含むことを特徴とする撮像装置。
【請求項６】
請求項４または請求項５に記載の撮像装置であって、さらに、
前記人物抽出手段によって抽出した人物以外の領域を所定の色に変更する背景変更手段、
を含むことを特徴とする撮像装置。
【請求項７】
請求項４ないし請求項６のいずれかに記載の撮像装置であって、さらに、
前記人物抽出手段によって抽出した人物と、別の画像データと、を合成する画像合成手段、
を備えることを特徴とする撮像装置。
【請求項８】
請求項４ないし請求項７のいずれかに記載の撮像装置であって、さらに、
前記画像データの明るさ、コントラスト、輝度、色相、および明度の少なくとも一つの画質パラメータを変更する画質パラメータ変更手段、
を備えることを特徴とする撮像装置。
【請求項９】
請求項６ないし請求項８のいずれかに記載の撮像装置であって、
前記背景変更手段、前記画像合成手段、および前記画質パラメータ変更手段の行う二つ以上の処理内容の組み合わせを記憶する手段、
を含むことを特徴とする撮像装置。
【請求項１０】
請求項１ないし請求項９のいずれかに記載の撮像装置であって、さらに、
複数の前記画像データを配列した印刷用画像データを生成し記憶する手段と、
を備えることを特徴とする撮像装置。
【請求項１１】
請求項１０に記載の撮像装置であって、
配列される前記画像データは、拡大または縮小された異なる大きさの画像データを含むことを特徴とする撮像装置。
【請求項１２】
請求項１０または請求項１１に記載の撮像装置であって、
前記印刷用画像データは、ＪＰＥＧ２０００方式で圧縮された画像データであることを特徴とする撮像装置。
【請求項１３】
請求項１０または請求項１２のいずれかに記載の撮像装置であって、
前記印刷用画像データは、印刷装置で当該印刷用画像データを印刷するときに、前記印刷装置が参照する前記画像データに係る情報を含むことを特徴とする撮像装置。
【請求項１４】
請求項１３に記載の撮像装置であって、
前記情報は、Ｅｘｉｆ規格に基づいた情報であることを特徴とする撮像装置。
【発明の詳細な説明】
【技術分野】
【０００１】
本発明は、撮像装置に関する。
【背景技術】
【０００２】
近年、デジタルスチルカメラに加え、デジタルビデオカメラや携帯電話等の機器においても静止画像を撮像可能な撮像装置として動作するものが増加している。これらの撮像装置とプリンター等の印刷装置を利用すれば、従来の銀鉛式カメラのように専門業者にフィルムの現像や印画紙への焼き付け等を依頼することなく、撮像から印刷までの全てを利用者自らが行うことができる。
【０００３】
これを利用すれば、証明写真を利用者自らが作成することも可能である。
【０００４】
また、最近は、人物を撮像した静止画像に文字、フレーム、イラスト等を合成した画像を、適当な大きさのシールやステッカー等に印刷して楽しむといった利用方法も増えている。そして、このようなシール印刷に使用する合成画像も、専用機によらず、デジタルカメラや携帯電話等の撮像装置単体で生成したり、このような撮像装置で撮像した画像をいわゆるパソコン上で加工して生成したりすることが多くなっている。
【発明の開示】
【発明が解決しようとする課題】
【０００５】
しかし、証明写真として利用する静止画像は、人物の顔の位置や大きさが適当で背景に余計なものがないことといった条件を満たす必要がある。そのため、デジタルカメラ等の撮像装置で、この条件を満たすためには、撮像の際に、背景に余計な物がない撮像場所を選択したり、人物から撮像装置に至る距離や位置を調整したりする必要があった。
【０００６】
また、証明写真には各種免許証やパスポート等、様々な種類のものがあるが、プリンター等で利用する用紙サイズは、通常これより大きいハガキ等の汎用の用紙サイズである。そのため、一枚の用紙上に一枚の証明写真を印刷すると無駄な余白部分が発生する上に、一度に複数枚の証明写真が必要なときには複数枚の用紙に印刷する必要があり、手間やコストがかかる。
【０００７】
静止画像内における人物の大きさや位置を調整したり、印刷時の余白等の無駄を排除するには、撮像した静止画像に画像処理等の後処理を施して、一枚の用紙上に複数の静止画像を配置して印刷すれば実現可能であるが、これには専用のソフトウェアプログラムが必要な上に手間がかかるという問題があった。
【０００８】
そして、これらの問題は、シール印刷に利用する合成画像を生成する場合にも同様に発生していた。
【０００９】
そこで、この発明の課題は、証明写真やシール印刷に利用する静止画像を容易に生成可能な撮像装置を提供することにある。また、汎用の用紙を利用した印刷を一回行うだけで、生成した画像を所定サイズで複数枚取得することをも目的とする。
【課題を解決するための手段】
【００１０】
上記課題を解決すべく、請求項１の発明は、表示装置を備える撮像装置であって、前記表示装置上に、所定の大きさでエリア枠を表示する手段と、前記表示装置上に表示された被写体のうち、前記エリア枠内に表示される領域のみを画像データとして記憶する手段とを備えることを特徴とする。
【００１１】
また、請求項２の発明は、請求項１の発明に係る撮像装置であって、さらに、前記表示装置上で前記エリア枠を移動させる操作を行う操作子、を備えることを特徴とする。
【００１２】
また、請求項３の発明は、請求項１または請求項２の発明に係る撮像装置であって、さらに、前記表示装置上に表示された被写体の顔部分を検出する手段と、検出した前記顔部分を含む所定領域のみを画像データとして記憶する手段、を備えることを特徴とする。
【００１３】
また、請求項４の発明は、請求項１ないし請求項３のいずれかの発明に係る撮像装置であって、さらに、前記画像データを２値化する閾値処理によって人物を背景領域から分離して、前記人物を抽出する人物抽出手段、を備えることを特徴とする。
【００１４】
また、請求項５の発明は、請求項４の発明に係る撮像装置であって、前記人物抽出手段は、前記画像データを量子化して行うラベリング処理によって、人物と、背景領域にある物体とを背景領域から分離して、前記人物を抽出する手段、を含むことを特徴とする。
【００１５】
また、請求項６の発明は、請求項４または請求項５の発明に係る撮像装置であって、さらに、前記人物抽出手段によって抽出した人物以外の領域を所定の色に変更する背景変更手段、を含むことを特徴とする。
【００１６】
また、請求項７の発明は、請求項４ないし請求項６のいずれかの発明に係る撮像装置であって、さらに、前記人物抽出手段によって抽出した人物と、別の画像データとを合成する画像合成手段、を備えることを特徴とする。
【００１７】
また、請求項８の発明は、請求項４ないし請求項７のいずれかの発明に係る撮像装置であって、さらに、前記画像データの明るさ、コントラスト、輝度、色相、および明度の少なくとも一つの画質パラメータを変更する画質パラメータ変更手段、を備えることを特徴とする。
【００１８】
また、請求項９の発明は、請求項６ないし請求項８のいずれかの発明に係る撮像装置であって、前記背景変更手段、前記画像合成手段、および前記画質パラメータ変更手段の行う二つ以上の処理内容の組み合わせを記憶する手段、を含むことを特徴とする。
【００１９】
また、請求項１０の発明は、請求項１ないし請求項９のいずれかの発明に係る撮像装置であって、さらに、複数の前記画像データを配列した印刷用画像データを生成し記憶する手段とを備えることを特徴とする。
【００２０】
また、請求項１１の発明は、請求項１０の発明に係る撮像装置であって、配列される前記画像データは、拡大または縮小された異なる大きさの画像データを含むことを特徴とする。
【００２１】
また、請求項１２の発明は、請求項１０または請求項１１の発明に係る撮像装置であって、前記印刷用画像データは、ＪＰＥＧ２０００方式で圧縮された画像データであることを特徴とする。
【００２２】
また、請求項１３の発明は、請求項１０または請求項１２のいずれかの発明に係る撮像装置であって、前記印刷用画像データは、印刷装置で当該印刷用画像データを印刷するときに、前記印刷装置が参照する前記画像データに係る情報を含むことを特徴とする。
【００２３】
また、請求項１４の発明は、請求項１３の発明に係る撮像装置であって、前記情報は、Ｅｘｉｆ規格に基づいた情報であることを特徴とする。
【発明の効果】
【００２４】
請求項１に記載の発明によれば、証明写真の縦横比に応じた画像データを後処理することなく生成することができる。
【００２５】
請求項２に記載の発明によれば、撮像した画像データ内から証明写真として利用するのに適当な領域を指定して画像データを生成することができる。
【００２６】
請求項３に記載の発明によれば、顔部分を自動的に検出して、これを中心として、証明写真として利用するのに適当な領域を自動的に切り出した画像データを生成することができる。
【００２７】
請求項４に記載の発明によれば、画像データを人物部分と、それ以外の領域とに分離することができる。
【００２８】
請求項５に記載の発明によれば、２値化では人物部分の抽出が不可能な画像データであっても、人物部分を抽出することができる。
【００２９】
請求項６に記載の発明によれば、画像データの人物以外の領域を塗りつぶした証明写真としての利用に適した画像データを生成することができる。
【００３０】
請求項７に記載の発明によれば、シール等に印刷して楽しむための合成画像を生成することができる。
【００３１】
請求項８に記載の発明によれば、生成した画像データの明るさ等の画質を調整することができる。
【００３２】
請求項９に記載の発明によれば、組み合わせを一つ指定するだけで、画像の合成や画質パラメータの変更等の複数の処理を容易に施すことができる。
【００３３】
請求項１０に記載の発明によれば、証明写真として必要な枚数を含む、印刷用紙の大きさの画像データを生成することで、一回の印刷で必要枚数を印刷することができる。
【００３４】
請求項１１に記載の発明によれば、様々な大きさの画像データを適当に配列した印刷用紙の大きさの画像データを生成することで、無駄な余白部分を生ずることなく印刷することができる。
【００３５】
請求項１２に記載の発明によれば、ＪＰＥＧ２０００方式で画像データを圧縮することで、圧縮時の画質劣化の少ない画像データを生成することができる。
【００３６】
請求項１３または請求項１４に記載の発明によれば、画像データに係る情報を考慮した補正を施してから印刷することで、より良好な印刷結果を得ることができる。
【発明を実施するための最良の形態】
【００３７】
図１は、この発明の一の実施の形態に係る撮像装置の動作を示すフローチャートである。当該撮像装置は、デジタルカメラ、またはデジタルカメラ機能を有する携帯電話等であって、従来のデジタルカメラの有する撮像機能に加えて、図１に示す動作を実現するものである。以下に、図１に示す撮像装置の動作の詳細について説明する。
【００３８】
当該撮像装置は、証明写真として利用するのに適した画像を撮像するための専用の撮像モードである「証明写真モード」を備え、これを利用すれば、撮像と同時に証明写真用の画像データを得ることができる（ステップＳ１）。
【００３９】
撮像装置には、通常の撮像機能に加えて、シャッター速度や絞りまたは撮像後のデータの画像処理の方法等を、被写体を適切に撮像し良好な画像データが生成できる条件に設定した、撮像モードと呼ばれる撮像機能を有するものがある。例えば、人物を撮るための「ポートレートモード」では、絞りをできるだけ開けて被写界深度を浅くして合焦範囲を狭めることで、背景をぼかして被写体が引き立つように撮像し、シャープネスを控えめにして肌色をきれいにする色補正を施す画像処理を行うとか、「風景モード」では、明るさに応じて手ぶれしにくい程度に絞りを絞って被写界深度を深くし、遠景がシャープに写るように撮像し、コントラストとシャープネスを高めるとともに緑をきれいにする色補正を施す画像処理を行うとかいう具合である。これらと同様に、当該撮像装置では、証明写真に用いる画像を撮像するための「証明写真モード」を有する。証明写真モードでは、例えばシャッター速度を手ぶれしにくい程度に抑えて、絞りを絞ることで被写界深度を深くして合焦範囲を広くするとともに、コントラストとシャープネスを高めて人物の顔立ちが鮮明に撮像できるようにする。ただし、撮像条件や画像処理方法は、予め、証明写真として人物を含む画像データを生成するのに適した条件として設定されていれば、これら以外の設定であっても構わない。
【００４０】
図２に示すように、撮像装置１の操作子２を操作して、撮像モードを証明写真モードにすると、撮像装置背面に備えられた表示装置３上に表示された画像上に、オンスクリーン表示でエリア枠４が表示される。このエリア枠４は表示装置３上の固定された位置に表示される。表示装置３上に表示される人物を確認しながら、被写体である人物がエリア枠４内に適当な大きさで表示されるよう、撮像位置やズームレンズのズーム位置を調整してから撮像を行う。その結果、通常の撮像モードでは、図３に示すような画像が得られる所、エリア枠４内のみを対象とした図４に示すような画像を得ることができる。また、証明写真として利用するのに適した画像となるような画像処理を施された画像が生成されるため、人物の顔立ちが鮮明に判別できる画像を得ることができる。
【００４１】
証明写真のサイズや縦横比は、例えば、パスポート用であれば縦４５ｍｍ×横３５ｍｍ、運転免許証用であれば縦３０ｍｍ×横２４ｍｍといった具合に、種類によって異なっている。通常の撮像モードでは、生成される画像の縦横比が撮像素子のサイズ等に依存して決定されるため、撮像装置を縦に構えて撮像したとしても、生成された画像をそのまま証明写真に利用することはできず、画像データまたは印刷後の写真を証明写真のサイズに合わせて拡大縮小したり切り抜くといった作業が必要となる。これに対し、証明写真モードで撮像を行えば、現れるエリア枠４が、予め、後述する印刷結果を考慮した証明写真に必要な縦横比と大きさで表示されるので、これに合わせて撮像するだけでよい。また、表示されるエリア枠４は、撮像装置１に備えられたボタンやダイアル等の操作子２を操作して、設定を変更することによって、様々な証明写真の縦横比やサイズに変更することができる。具体的には、例えば、表示装置３上に、メニューを呼び出して、表示されたパスポート、運転免許証、司法試験、医師国家試験…といった証明写真の利用目的の中から該当する項目を選択する態様であってもよいし、あるいは、４５×３５、３０×２４、５０×４０、６０×４０…といったサイズや縦横比が項目としてリスト表示され、この中から該当する項目を選択する態様であっても構わない。エリア枠４は、選択された縦横比やサイズと印刷時の解像度等および撮像装置の有する解像度を考慮して自動的に調整された大きさで、表示装置３上に表示される。
【００４２】
このように、証明写真モードを利用して撮像を行うことで、加工することなく利用可能な、証明写真に適した鮮明な画像データを容易に生成することができる。
【００４３】
また、撮像装置１は、通常の撮像モードで撮像した後に、証明写真に適した画像を生成することも可能である。生成方法には、撮像した画像データから、範囲を指定して切り抜く方法（ステップＳ３）と、顔部分を検出してこれを中心に自動的に範囲を選択して切り抜く方法（ステップＳ４）と、の２つの方法がある。それぞれの具体的な動作は以下の通りである。
【００４４】
まず、人物を適当に撮像した後に、撮像した画像データを表示装置３上にプレビュー表示する（ステップＳ２）。
【００４５】
範囲を手動で指定する方法（ステップＳ３）では、図５（ａ）に示すように、表示装置３上の画像データの上に、オンスクリーン表示でエリア枠４が表示される。このエリア枠４は、上述したように、設定によって各種証明写真のサイズや縦横比に合わせたものとすることができる。操作子２を操作して、図５（ａ）のように枠内に証明写真として利用する範囲が含まれるように、画像データ上のエリア枠４を移動させる。適当な範囲を選択したら、さらに操作子２を操作して利用範囲を決定する。その結果、撮像した図３に示すような画像データのうち、選択した範囲だけが切り抜かれ、図４に示すような画像として保存されるのである（ステップＳ３）。
【００４６】
尚、図５（ｂ）に示すように、表示されたエリア枠４に対して、画像データ中の人物の大きさが小さすぎる、または大きすぎるために、適切に範囲を選択できない場合がある。このときは、操作子２を操作することによって、エリア枠４の表示倍率を調整して適当な大きさで表示した後に、当該エリア枠４を移動して証明写真として利用する範囲を選択する。
【００４７】
このように、エリア枠４を利用して、撮像した画像データ内で証明写真に利用する範囲を選択することで、撮像後においても、証明写真に利用可能な画像を容易に生成することができる。
【００４８】
顔を検出してから範囲を自動的に選択する方法（ステップＳ４）では、図６に示すように、表示装置３上の画像データの上に、オンスクリーン表示でエリア枠５が表示される。操作子２を操作して、図６のようにエリア枠５内に証明写真として利用する人物の顔部分が含まれるように、画像データ上のエリア枠５を移動させる。適当な範囲を選択したら、さらに操作子２を操作して範囲を決定する。すると、選択した範囲内で、多数を占め、かつ肌色に近い画素から成る部分を顔であると認識し、当該顔部分の位置と大きさに基づいて、証明写真に利用する範囲を自動的に選択する。そして、選択範囲が切り抜かれ、図４に示すような画像として保存されるのである（ステップＳ４）。
【００４９】
尚、ステップＳ３およびＳ４の方法でも、上述したように、証明写真の縦横比やサイズを設定しておくことで、切り抜かれる範囲をこれにに合わせたものとすることができる。
【００５０】
また、ステップＳ４における顔部分の検出方法は、上述したようにエリア枠４を利用する態様に限らず、全て自動的に行う態様であっても構わない。具体的には、操作子２により検出開始を命令すると、画像データ内の肌色の色情報を持つ領域を抽出し、さらに抽出領域の形状や位置関係等から顔部分を示す領域を検出して、検出した顔領域を中心に上述したように証明写真に利用する範囲を自動的に選択する態様であっても構わない。
【００５１】
このように、撮像した画像データ内において、撮像装置１が顔を中心とした適当な範囲を自動的に選択するため、撮像後においても、証明写真に利用可能な画像を、容易に生成することができる。また、この方法によれば、撮像装置１が、顔の大きさをも判断し、適当な範囲を選択してくれるため、ステップＳ３でエリア枠４を利用して範囲指定する場合のように、画像データ上の人物の大きさによってエリア枠４の表示倍率を調整するといった操作は必要ない。
【００５２】
以上のような方法で生成された図４に示すような画像データは、撮像装置の備える記憶装置上に記憶保存される。
【００５３】
証明写真として利用するための撮像を行う際、利用者は、被写体である人物の背後に余計なものが写り込むことのないよう撮像場所等を注意して選定するものと考えられる。しかし、そのような注意を払っても、撮像した画像において、人物の背後に余計なものが写り込んでしまったり、あるいは、背後には壁面しか写っていないものの、その壁面に証明写真として利用するのに不適当な色や模様がある場合がある。
【００５４】
そこで、次に、生成した画像データを、さらに証明写真への利用に適したものとするため、このような不適当な背景の処理を行う。まず、生成した画像データ内で、人物を抽出し、人物の背景にあたる抽出した人物の外側のデータを削除する（ステップＳ５）。人物の抽出は、閾値処理またはラベリング処理とを利用して行う（人物抽出手段）。
【００５５】
閾値処理による人物の抽出方法を図７を用いて説明する。図７（ａ）に示すように、生成た画像の人物の背景に証明写真としては好ましくない色や模様等がある場合に、まず、画像データ内のある画素の明るさを基準にして、それよりも明るい画素は白、暗い画素は黒とすることで、図７（ｂ）のように画像を２値化する。その結果、人物を示す領域を、その背景から抽出することができる。２値化の基準となる画素の明るさは自動的に選択するが、その結果、うまく人物のみが抽出できない場合には、利用者が表示装置３上の画像データにおいて、操作子２を操作して適当な明るさの画素を選択し、これを基準として２値化を行うこともできる。
【００５６】
人物と背景部分が異なる明るさである場合は、処理に係る負荷も低く、処理時間も短いため、単純に２値化する閾値処理が有効な方法である。しかし、例えば、撮像した人物の着衣の一部が背景と同色の場合、閾値処理では、その部分も背景とみなされる可能性がある。また、その他、背景に図８（ａ）に示すように、余計なものが写り込んでいる場合にも、２値化では対応できないことがある。利用者は、閾値処理による人物の抽出結果を確認し、人物部分と背景とがうまく分離できていなかったときは、操作子２を操作して、ラベリング処理による輪郭処理を実行する。ラベリング処理は、閾値処理に比べて複雑であるため、処理に係る負荷が高く、処理時間も長くなるが、閾値処理では人物の抽出が不可能である上述したような画像データであっても、対応することが可能である。
【００５７】
ラベリング処理による人物の抽出方法を図８，図９を用いて説明する。まず、画像データを、数段階に量子化する。例えば、画素の明るさに応じて、明るい方から４段階に量子化したとする。次に、特定の画素に、属性としてあるラベルを付加し、この画素を中心に、同じ明るさを有する隣り合う画素には同じラベルを付加する。さらに、新たに同じラベルを付加した画素について、同様の処理を行いながら、隣り合う画素に同じ明るさを有するものがなくなるまで、属性として同じラベルを持つ画素領域を広げて行く。こうして、隣り合う画素に同じ明るさを有するものがなくなると、次に、属性としてラベルを付加されていない画素を探し、その画素に新たなラベルを付加する。そして、その画素についても同様に、同じ明るさを有する隣り合う画素に同じラベルを付加する処理を行うのである。このような処理を、ラベルを持たない画素がなくなるまで続ければ、同じ明るさを有する隣り合う画素同士が、画像データ内で同じラベルからなる島を形成することになる。例えば、図９では、ラベル１から３を有する３つの島が形成されている。このようなラベリング処理を行うことで、画像データ内に複数のオブジェクトがあるときに、画素をそのオブジェクト毎にグループ化することができる。この技術を、図８（ａ）に示すような画像に適用すると、適当な値で量子化することによって、図８（ｂ）に示すように、人物、背景、および背景に写り込んだ時計を、それぞれ分離して抽出することができる。ここで、人物を示す領域は画像の中心付近にある画素を含む領域であることは明らかであるため、これらの画素を含む島を人物とみなせば、背景および背景に写り込んだ時計から、人物のみを抽出することができる。尚、閾値処理の場合と同様、量子化するときの明るさの基準は自動的に選択するが、その結果、うまく人物が抽出できない場合には、利用者が表示装置３上の画像データにおいて、操作子２を操作して適当な明るさの画素を指定し、これらを基準として量子化を行うこともできる。
【００５８】
人物を抽出すると、次に、抽出した人物以外の領域の画素の色を白または青のような適当な色に変更し、図１０に示すような画像を生成する（ステップＳ６；背景変更手段）。このとき、背景の色は、操作子２による操作により変更可能である。
【００５９】
このように、閾値処理やラベリング処理を利用して人物を抽出することで、撮像した画像から切り出しただけでは図７（ａ）または図８（ａ）に示すように、背景の色が適当でなかったり、余計なものが写り込んでしまっている場合にも、その背景を変更し、図１０に示すような、証明写真として利用するのに適当な背景を有する画像に変換することができる。
【００６０】
ここで、ステップＳ５で人物を抽出した後に、この画像に対して適当な処理を行うことで、証明写真用の画像ではなく、シールに印刷して楽しむような娯楽目的の画像を生成することもできる。
【００６１】
例えば、図１１に示すように、人物を抽出した画像と、イラスト６、背景画像７、飾り枠８といった素材となる画像を合成した合成画像９を生成する（ステップＳ７；画像合成手段）。このとき、利用するイラスト６、背景画像７、飾り枠８等の素材は、撮像装置の備える記憶装置内に、複数種類記憶されているものの中から、利用者が、操作子２を操作することで、任意に選択可能である。また、合成する素材は、一つであってもよいし、複数であっても構わない。そして、これらの素材は、イラスト６、背景画像７、飾り枠８というように、一つずつ選択する態様のほか、これらの素材のうち２つ以上が関連づけられたテンプレートが複数種類存在しており、このテンプレートを選択する態様であっても構わない。具体的には、例えば、「学者」というテンプレートを選択するだけで、イラスト６、背景画像７および飾り枠８が合成された合成画像９が自動的に生成されるような場合である。
【００６２】
また、生成した合成画像の、明るさやコントラストなどを調整することもできる（ステップＳ８；画質パラメータ変更手段）。明るさやコントラストの調整は、利用者が、操作子２を操作することで手動で行ってもよいし、予め明るさやコントラストの調整方法を規定した複数種類のテンプレートが記憶されており、この中から選択したテンプレートに従って画像処理が行われる態様であっても構わない。具体的には、例えば「美肌」というテンプレートを選択すると、肌が白くなめらかに見えるように、画像データを白とびしない程度に明るくし、コントラストを抑えめにする画像処理を施せばよい。
【００６３】
さらに、合成画像に対し、様々なエフェクトを適用することもできる（ステップＳ９；画質パラメータ変更手段）。ここで言うエフェクトとは、所定のテーマに基づいた印象を受けるような画像となるように、画像処理を施すことである。例えば、「セピア」、「スポットライト」、「光源」、「グレイスケール」、「ガラス」、「水彩画」というような用語によって規定されるエフェクトがあって、利用者は、この中から所望のエフェクトを選択することで、その用語の印象に合った画像に変換することができる。具体的には、例えば、「セピア」を選択すると、画像データの輝度、色相、彩度等の変更の処理により、いわゆるセピア色に色あせたような画像に変換され、「スポットライト」を選択すると、画像データ内の輝度変更等の画像処理により、人物にスポットライトが当てられているかのような画像に変換される。
【００６４】
尚、これらの素材を追加した合成画像の生成、明るさやコントラスト等の調整、エフェクトの適用といった処理は、人物を抽出した画像に対して行うものであるが、当然に、通常の撮像によって記憶保存した画像にも適用可能である。また、テンプレートは上述したように画像の合成方法や画質の調整方法等を別々に記憶する態様の他、画像の合成からエフェクトの適用までの全てについて、その適用方法を記憶するものであっても構わない。
【００６５】
このように、生成した人物を中心とする画像に、イラスト等を合成したり、明るさやコントラストを変更する画像処理を施したり、エフェクトを適用することで、様々な画像を生成することができる。そして、これをシールやステッカーに印刷することで、撮像装置を娯楽用途にも活用することが可能となる。従来のデジタルカメラやデジタルカメラ機能を有する携帯電話においても、合成画像を生成する機能を有するものがあるが、本発明によれば、予め人物を適切に抽出した画像を利用するため、鮮明に描写された人物を含む画像データを生成できるという利点がある。
【００６６】
このようにして、図１０に示すような証明写真用の画像、または図１１に示すような合成画像を生成すると、これを撮像装置の備える記憶装置上に記憶保存し、次に、これらから、印刷用の画像データを生成する。
【００６７】
まず、画像データを印刷するときの印刷用紙のサイズを指定する（ステップＳ１０）。すると、図１２に示すように、印刷する際に無駄な余白が生ずることのないように、先にステップＳ１〜Ｓ４で設定した証明写真のサイズの画像データを指定した印刷用紙のサイズに従って並べた印刷用画像データが生成される（ステップＳ１１）。
【００６８】
尚、印刷用画像データは、図１３（ａ）に示すように先に指定した証明写真のサイズの画像を並べる態様のほか、図１３（ｂ）に示すように生成した画像を拡大または縮小して並べる態様であっても構わないし、図１３（ｃ）示すように、元画像や、これを拡大または縮小した画像等、複数種類の大きさの画像を並べる態様であっても構わない。これらの印刷用画像データの生成方法は、撮像装置内にテンプレートとして収められており、利用者はテンプレートの一つを選択すれば、図１３（ａ）〜（ｃ）に示すような印刷用画像データが自動的に生成される。また、画像を印刷用紙全体に渡って並べる態様のほか、利用者が必要とする証明写真の枚数を指定し、これに従って必要枚数だけを並べる態様であっても構わない。
【００６９】
尚、本実施例では、ステップＳ１〜Ｓ４の画像データを生成する段階で、証明写真に応じた縦横比やサイズを指定しておく態様を示したが、本発明はこれに限らず、ステップＳ１０およびＳ１１の印刷段階で画像データの縦横比やサイズを調整する態様であっても構わない。具体的には、例えば、ステップＳ１〜Ｓ４の段階では、適当な大きさのエリア枠を表示しておき、ステップＳ１０およびＳ１１の印刷段階で、画像データに対して拡大縮小または切り抜き等の処理を行い、利用者の指定する縦横比やサイズの画像データを含む印刷用画像データを生成する態様であっても構わない。小さな撮像素子を有する撮像装置では、本実施例で上述したように、予め撮像素子の解像度等を考慮してエリア枠を指定しておかなければ、例えば、印刷段階で画像データを拡大しすぎたために、ブロックノイズの影響が無視できなくなるといった画質低下に係る問題が生ずる場合がある。しかし、数百万画素の撮像素子を有する撮像装置であれば、適当な大きさで人物を撮像しておけば、拡大等の処理による画質劣化の影響なく印刷用画像データが生成可能である。そして、このような撮像装置であれば、印刷時に指定するだけで、様々な種類の証明写真に対応した画像データを含む印刷用画像データを容易に生成できる方が、撮像時に証明写真の種類を考慮する必要がないという利点がある。
【００７０】
このように、印刷結果を考慮した印刷用画像データを生成することで、利用者は、当該印刷用画像データを一回印刷するだけで、必要とする全ての証明写真または合成画像を得ることが可能となり、必要枚数に応じて複数回印刷するとか、その度に印刷用紙に無駄な余白部分を生ずるといった問題を回避することができる。
【００７１】
また、生成する証明写真または合成画像の画像データ、および印刷用画像データは、従来のＪＰＥＧ形式等のほか、ＪＰＥＧ２０００の仕様に基づいて生成される態様であっても構わない。印刷用紙のサイズに合わせて、複数の画像を並べた印刷用画像データはデータ容量が大きくなることもあるが、ＪＰＥＧ２０００形式を利用すれば、従来のＪＰＥＧ等の形式に比べて高画質でありながらデータ容量の小さい画像データを生成することができる。その他、ＪＰＥＧ２０００形式であれば、ブロックノイズが発生しない、ＲＯＩ処理によって顔部分を重要視することで顔部分の画質劣化を抑えた証明写真に適した画像を生成できる、スケーラビリティを利用して様々な解像度の画像を生成できる、等、様々な利点がある。
【００７２】
さらに、印刷用画像データには、ＪＥＩＤＡ（Japanese Electronic Industry Development Association;日本電子工業振興協会）によって標準化されたＥｘｉｆ等の規格情報を含む態様であっても構わない。例えば、Ｅｘｉｆ  Ｐｒｉｎｔ規格に対応し、解像度やサイズ、色域、露出、感度等、画像データに関する情報を画像データに埋め込み、印刷するときに、この情報を利用して画像を最適化する補正処理を行った上で印刷すれば、より好ましい印刷結果を得ることができる。
【００７３】
このように、印刷用画像データに対してＪＰＥＧ２０００やＥｘｉｆといった規格を利用すれば、圧縮時や印刷時の画像の品質低下を回避することが可能となる。
【図面の簡単な説明】
【００７４】
【図１】この発明の一の実施の形態に係る撮像装置の動作を示すフローチャートである。
【図２】この発明の一の実施の形態に係る撮像装置での撮像方法を説明する図である。
【図３】この発明の通常撮像モードで撮像したときの画像データを示す図である。
【図４】この発明の証明写真モードで撮像したときの画像データを示す図である。
【図５】この発明の通常撮像モードで撮像した後に証明写真用画像データを生成する方を説明する図である。
【図６】この発明の通常撮像モードで撮像した後に証明写真用画像データを自動生成する方法を説明する図である。
【図７】この発明の閾値処理による人物の抽出方法を説明する図である。
【図８】この発明のラベリング処理よる人物の抽出方法を説明する図である。
【図９】この発明のラベリング処理の方法を説明する図である。
【図１０】この発明の人物の抽出処理を行った後の画像データを示す図である。
【図１１】この発明の合成画像の生成方法を説明する図である。
【図１２】この発明の印刷用画像データを示す図である。
【図１３】この発明の印刷用画像データに用いるテンプレートを示す図である。
【符号の説明】
【００７５】
１      撮像装置
２      操作子
３      表示装置
４，５  エリア枠
【図１】
2005223523.tif 000003
【図２】
2005223523.tif 000004
【図３】
2005223523.tif 000005
【図４】
2005223523.tif 000006
【図５】
2005223523.tif 000007
【図６】
2005223523.tif 000008
【図７】
2005223523.tif 000009
【図８】
2005223523.tif 000010
【図９】
2005223523.tif 000011
【図１０】
2005223523.tif 000012
【図１１】
2005223523.tif 000013
【図１２】
2005223523.tif 000014
【図１３】
2005223523.tif 000015